(57)【要約】【課題】工期を短縮しつつ、適切に接合することができる梁同士の接合構造及び梁同士の接合方法を提供する。【解決手段】梁同士の接合構造は、第一コンクリート部５０から一方向の一方側に向かって延びる第一鋼板部４７と、第二コンクリート部１００から一方向の他方側に向かって延びるとともに、第一鋼板部４７と第一梁１０の奥行方向の一方側に配置され、前記第一鋼板部に係合された第二鋼板部９７と、コンクリートで形成され、第一鋼板部４７と第二鋼板部９７とを覆うように充填されたコンクリート部と、を備えることを特徴とする。【選択図】図２
2014227682.tif 000002
【特許請求の範囲】
【請求項１】
一方向に向かって延び、プレキャストコンクリートで形成された第一コンクリート部を有する第一梁と、前記一方向の一方側に配置され、プレキャストコンクリートで形成された第二コンクリート部を有する第二梁とを接合する梁同士の接合構造であって、
前記第一コンクリート部から前記一方向の前記一方側に向かって延びる第一鋼板部と、
前記第二コンクリート部から前記一方向の他方側に向かって延びるとともに、前記第一鋼板部と前記第一梁の奥行方向の一方側に配置され、前記第一鋼板部に係合された第二鋼板部と、
コンクリートで形成され、前記第一鋼板部と前記第二鋼板部とを覆うように充填されたコンクリート部と、を備えることを特徴とする梁同士の接合構造。
【請求項２】
前記第一鋼板部と前記第二鋼板部とは、前記奥行方向に隣接配置され、
前記第一鋼板部は、前記奥行方向且つ前記第二鋼板部が配置される方向に延びる第一スタッドを有し、
前記第二鋼板部は、前記奥行方向且つ前記第一鋼板部が配置される方向に延びる第二スタッドを有し、
前記第一スタッドは、前記第二鋼板部に形成された第二係合部に係合され、
前記第二スタッドは、前記第一鋼板部に形成された第一係合部に係合されていることを特徴とする請求項１に記載の梁同士の接合構造。
【請求項３】
前記第一係合部は、前記第一鋼板部に上方から下方に向かって凹むように形成され、
前記第二係合部は、前記第二鋼板部に前記下方から前記上方に向かって凹むように形成されていることを特徴とする請求項２に記載の梁同士の接合構造。
【請求項４】
一方向に向かって延び、プレキャストコンクリートで形成された第一コンクリート部と、前記第一コンクリート部から前記一方向の前記一方側に向かって延びる第一鋼板部と、を有する第一梁と、前記一方向の一方側に配置され、プレキャストコンクリートで形成された第二コンクリート部と、前記第二コンクリート部から前記一方向の他方側に向かって延びる第二鋼板部と、を有する第二梁とを接合する梁同士の接合方法であって、
前記第一鋼板部には、前記第一梁の奥行方向且つ前記第二鋼板部が配置される方向に延びる第一スタッドと、上方から下方に向かって凹む第一係合部とが形成され、
前記第二鋼板部には、前記奥行方向且つ前記第一鋼板部が配置される方向に延びる第二スタッドと、前記下方から前記上方に向かって凹む第二係合部とが形成され、
前記第一梁を設置する工程と、
前記第一スタッドを前記第二係合部に挿通させて係合させるとともに、前記第二スタッドを前記第一係合部に挿通させて係合させるように、前記第二梁を設置する工程と、
前記第一鋼板部と前記第二鋼板部とを覆うようにコンクリートを打設充填する工程と、を備えることを特徴とする梁同士の接合方法。
【発明の詳細な説明】
【技術分野】
【０００１】
本発明は、梁同士の接合構造及び梁同士の接合方法に関するものである。
【背景技術】
【０００２】
従来より、建築現場では、工期短縮のために、プレキャストコンクリート部材を用いて建築物が構築されている。このプレキャストコンクリート部材同士を接合する場合には、機械式継手を用いる方法がある。
また、主筋同士の接続部分に、主筋に沿うように添え筋を配筋して接合部分を補強した方法も知られている。
【０００３】
一方、構造物の鋼材とコンクリートとを接合する構造として、鋼材と、この鋼材に溶接等で固定された鋼板と、鋼板に形成された貫通する孔に挿通されたた鋼管と、この鋼管内を充填するように形成されたコンクリートとを備えるものが提案されている。このような構造では、鋼管の内部にコンクリートが充填されことで、鋼材とコンクリートとが一体化される（下記特許文献１参照）。
【先行技術文献】
【特許文献】
【０００４】
【特許文献１】特開２０１２−１９７６４３号公報
【発明の概要】
【発明が解決しようとする課題】
【０００５】
しかしながら、機械式継手を用いる方法では、現場で主筋同士を締付けるナットのトルクを調整したり、主筋同士の接合部分が収容されるカプラー内にグラウト剤を注入するため工数がかかるという問題点がある。
また、添え筋用いる方法では、現場にて、せん断補強筋を配筋して強度を確保する必要があり、現場での工数が増加するという問題がある。
【０００６】
また、上記の特許文献１に記載の鋼板コンクリート構造では、構造物である鋼材に曲げモーメントが生じた場合には、鋼管内に充填されたコンクリートが有効に抗することができないため、接合強度を確保することができないという問題点がある。
【０００７】
そこで、本発明は、上記事情に鑑みてなされたものであり、工期を短縮しつつ、適切に接合することができる梁同士の接合構造及び梁同士の接合方法を提供する。
【課題を解決するための手段】
【０００８】
上記目的を達成するために、本発明は以下の手段を採用している。
すなわち、本発明に係る梁同士の接合構造は、一方向に向かって延び、プレキャストコンクリートで形成された第一コンクリート部を有する第一梁と、前記一方向の一方側に配置され、プレキャストコンクリートで形成された第二コンクリート部を有する第二梁とを接合する梁同士の接合構造であって、前記第一コンクリート部から前記一方向の前記一方側に向かって延びる第一鋼板部と、前記第二コンクリート部から前記一方向の他方側に向かって延びるとともに、前記第一鋼板部と前記第一梁の奥行方向の一方側に配置され、前記第一鋼板部に係合された第二鋼板部と、コンクリートで形成され、前記第一鋼板部と前記第二鋼板部とを覆うように充填されたコンクリート部と、を備えることを特徴とする。
【０００９】
このように構成された梁同士の接合構造では、建築現場において、第一梁の第一鋼板部と、第二梁の第二鋼板部とを係合させ、これらを覆うようにコンクリートを充填すれば、第一梁と第二梁とは接合される。よって、第一鋼板部及び第二鋼板部は一体として連結されるため、第一梁及び第二梁に生じる曲げモーメントによる材軸方向力及びせん断力の複合応力を効果的に伝達することができる。したがって、工期を短縮しつつ、適切に接合することができる。
【００１０】
また、本発明に係る梁同士の接合構造は、前記第一鋼板部と前記第二鋼板部とは、前記奥行方向に隣接配置され、前記第一鋼板部は、前記奥行方向且つ前記第二鋼板部が配置される方向に延びる第一スタッドを有し、前記第二鋼板部は、前記奥行方向且つ前記第一鋼板部が配置される方向に延びる第二スタッドを有し、前記第一スタッドは、前記第二鋼板部に形成された第二係合部に係合され、前記第二スタッドは、前記第一鋼板部に形成された第一係合部に係合されていることが好ましい。
【００１１】
このように構成された接合構造では、第一スタッドは第二鋼板部に形成された第二係合部に挿通され、第二スタッドは第一鋼板部に形成された第一係合部に挿通された状態で、コンクリート部を介して第一鋼板部と第二鋼板部とは接合される。よって、簡易な構成で、第一鋼板部と第二鋼板部とを係合させることができる。
【００１２】
また、本発明に係る梁同士の接合構造は、前記第一係合部は、前記第一鋼板部に上方から下方に向かって凹むように形成され、前記第二係合部は、前記第二鋼板部に前記下方から前記上方に向かって凹むように形成されていてもよい。
【００１３】
このように構成された梁同士の接合構造では、第二梁を上方から下方に向かって移動させることで、第一梁を第二梁の奥行方向に隣接配置することができるとともに、第一係合部に第二スタッドを配置し第二係合部に第一スタッドを配置することができる。よって、簡易な構成であるとともに、工数を低減することができる。
【００１４】
また、本発明に係る梁同士の接合方法は、一方向に向かって延び、プレキャストコンクリートで形成された第一コンクリート部と、前記第一コンクリート部から前記一方向の前記一方側に向かって延びる第一鋼板部と、を有する第一梁と、前記一方向の一方側に配置され、プレキャストコンクリートで形成された第二コンクリート部と、前記第二コンクリート部から前記一方向の他方側に向かって延びる第二鋼板部と、を有する第二梁とを接合する梁同士の接合方法であって、前記第一鋼板部には、前記第一梁の奥行方向且つ前記第二鋼板部が配置される方向に延びる第一スタッドと、上方から下方に向かって凹む第一係合部とが形成され、前記第二鋼板部には、前記奥行方向且つ前記第一鋼板部が配置される方向に延びる第二スタッドと、前記下方から前記上方に向かって凹む第二係合部とが形成され、前記第一梁を設置する工程と、前記第一スタッドを前記第二係合部に挿通させるとともに、前記第二スタッドを前記第一係合部に挿通させるように、前記第二梁を設置する工程と、前記第一鋼板部と前記第二鋼板部とを覆うようにコンクリートを打設充填する工程と、を備えることを特徴とする。
【００１５】
このように構成された梁同士の接合方法では、第一スタッドを第二係合部に挿通させるとともに、第二スタッドを第一係合部に挿通させるようにして、第一梁と第二梁とを設置して、コンクリートを打設すれば、第一梁と第二梁とが接合される。よって、工期を短縮しつつ、適切に連結することができる。
【発明の効果】
【００１６】
本発明に係る梁同士の接合構造及び梁同士の接合方法によれば、工期を短縮しつつ、適切に連結することができる。
【図面の簡単な説明】
【００１７】
【図１】（ａ）柱間の略中央で本発明の一実施形態に係る梁同士の接合構造で梁同士が接合されている模式図であり、（ｂ）柱間の２箇所で本発明の一実施形態に係る梁同士の接合構造で梁同士が接合されている模式図である。
【図２】本発明の一実施形態に係る梁同士の接合構造で（ａ）梁同士が接合される前の梁の延在方向に沿った断面図であり、（ｂ）第一鋼板部と第二鋼板部とが隣接配置された状態における梁の延在方向に沿った断面図である。
【図３】本発明の一実施形態に係る梁同士の接合構造で（ａ）梁同士が接合される前の梁の奥行方向に沿った断面図であり、（ｂ）梁同士が接合される途中の状態の梁の奥行方向に沿った断面図であり、（ｃ）第一鋼板部と第二鋼板部とが隣接配置された状態における梁の奥行方向に沿った断面図である。
【図４】本発明の一実施形態に係る梁同士の接合構造を構成する第一鋼板部及び第二鋼板部の斜視図である。
【図５】本発明の一実施形態に係る梁同士の接合構造における梁の奥行方向に沿った断面図である。
【発明を実施するための形態】
【００１８】
本発明の一実施形態に係る梁同士の接合構造について、図面を用いて説明する。
図１に示すように、梁同士の接合構造１は、ともに一方向（以下、長手方向とする）に延びる梁１０，６０同士を接合するものである。
【００１９】
この接合構造１は、図１（ａ）に示すように、鉛直方向に延びる一対の柱３，３間の略中央に設けられていてもよい。または、図１（ｂ）に示すように、一対の柱３，３間の距離をＨとすると、それぞれの柱３から略４分の１Ｈの距離の位置に設けられていてもよい。
【００２０】
なお、梁１０，６０が小スパン梁の場合には、曲げモーメントが比較的小さくなる位置、例えば図１（ａ）に示す接合構造１が一対の柱３間の略中央に設けられることが好ましい。また、梁１０，６０が大スパンの場合には、図１（ｂ）に示すように、接合構造１がそれぞれの柱３から略４分の１Ｈの距離の位置に設けられていることが好ましい。
【００２１】
図２に示すように、接合される第一梁１０と第二梁６０は、それぞれプレキャストコンクリート部材で構成されている。第一梁１０のうち、長手方向の一方側（図２に示す紙面右側）の部分Ａ１が第二梁６０と接合される接合領域Ａとされている。また、第一梁１０のうち、部分Ａ１よりも長手方向の他方側の部分が部分Ｂ１とされている。
【００２２】
第二梁６０は、第一梁１０の長手方向の一方側に配置され、第二梁６０の長手方向の他方側（図１に示す紙面左側）の部分Ａ２が第一梁１０と接合される接合領域Ａとされている。また、第二梁６０のうち、部分Ａ２よりも長手方向の一方側の部分が部分Ｂ２とされている。
【００２３】
第一梁１０は、長手方向に向かって延びる複数の梁主筋２０，２０…と、複数の梁主筋２０を束ねるように長手方向に間隔を有して配置された複数のせん断補強筋３０，３０…と、せん断補強筋３０の内方に配置された複数の第一鋼板４０，４０…と、プレキャストコンクリートで形成された第一コンクリート部５０とを有している。
【００２４】
図２及び図３に示すように、複数の梁主筋２０，２０…は、鉛直方向及び第一梁１０の奥行方向（図３に示す紙面左右方向）に離間して配置されている。この梁主筋２０は、上側主筋２１と、上側主筋２１の下方に配置された下側主筋２２とで構成されている。
【００２５】
第一梁１０の奥行方向の両端に配置された上側主筋２１Ａ，２１Ａは、部分Ｂ１及び部分Ａ１に連続して配置されている。一方、他の上側主筋２１Ｂ，２１Ｂ…は、部分Ｂ１にのみ配置され、部分Ａ１には配置されていない。
また、複数の下側主筋２２，２２…は、部分Ｂ１及び部分Ａ１に連続して配置されている。
【００２６】
部分Ｂ１におけるせん断補強筋３０は、全ての上側主筋２１，２１…及び全ての下側主筋２２，２２…を覆うように環状に配置されている。
【００２７】
図３に示すように、部分Ａ１におけるせん断補強筋３０は、第一梁１０の奥行方向の一方側（図３に示す紙面左側）の上側主筋２１Ａから下方に向かって延びる鉛直補強筋部３０Ａと、鉛直補強筋部３０Ａの下端で下側主筋２２の下面に沿って屈曲され第一梁１０の奥行方向に延びる水平補強筋部３０Ｂと、水平補強筋部３０Ｂの端部で下側主筋２２に沿って屈曲され鉛直方向に延びる鉛直補強筋部３０Ｃとを有している。
【００２８】
この鉛直補強筋部３０Ａ，３０Ｃの上端は、それぞれ上側主筋２１Ａに沿って湾曲した、例えば１３５°又は１８０°フック付きせん断補強筋の形状とされている。
【００２９】
第一鋼板４０は、長手方向に延びる鋼板であって、環状に形成されたせん断補強筋３０の内側に配置され、鉛直方向及び第一梁１０の奥行方向に離間して配置されている。
【００３０】
本実施形態では、鉛直上側に配置される第一鋼板４０は、第一梁１０の奥行方向に離間して２枚配置されている。また、鉛直下側に配置される第一鋼板４０は、第一梁１０の奥行方向に離間して３枚配置されている。つまり、第一鋼板４０が合計５枚配置されており、さらに、これら５枚の第一鋼板４０は平面視で重ならない位置にそれぞれ配置されている。
【００３１】
この第一鋼板４０の両側面には、それぞれ第一梁１０の奥行方向に向かって突出するスタッド４３が設けられている。本実施形態では、スタッド４３は、鉛直方向に離間して２個設けられ、長手方向に離間して複数設けられている。
【００３２】
スタッド４３は、第一梁１０の奥行方向に延びる軸部４３Ｘ（図４参照）と、軸部４３Ｘの先端部に設けられ、軸部４３Ｘの径方向外側に向かって突出形成された頭部４３Ａ（図４参照）とを有している。
【００３３】
また、第一鋼板４０は、第一梁１０の部分Ｂ１に配置され後述する第一コンクリート部５０に埋設された埋設板部４６と、埋設板部４６から長手方向の一方側に向かって延びる第一鋼板部４７とを有している。この第一鋼板部４７のスタッド４３が第一スタッドとされている。
【００３４】
この第一鋼板部４７には、上端から鉛直下方に向かって凹むとともに板厚方向に貫通する第一凹部４８（第一係合部）が長手方向に離間して複数形成されている。これら複数の第一凹部４８の間は、鉛直上方に向かって膨らむ第一凸部４９とされている。つまり、第一鋼板部４７には、長手方向に沿って第一凹部４８と第一凸部４９とが交互に連続して複数形成されている。
【００３５】
また、第一鋼板部４７の第一凸部４９の鉛直下方には、鉛直方向に離間してスタッド４３が２個配置されている。
【００３６】
第一コンクリート部５０は、プレキャストコンクリート部材であり、第一梁１０の部分Ｂ１に配置されたコンクリート本体５１と、コンクリート本体５１と連続して第一梁１０の部分Ａ１に配置されたコンクリート枠部５２とを有している。
【００３７】
コンクリート本体５１は、断面視略矩形状に形成され、下側主筋２２の下方から上側の第一鋼板４０の上方にわたって、コンクリートが充填されて形成されている。
【００３８】
コンクリート枠部５２は、コンクリート本体５１の一対の側面５１Ａ，５１Ａ（図２参照）及び底面５１Ｂ（図２参照）に連続して形成され、水平に配置された底壁部５２Ａと、底壁部５２Ａの奥行方向両端から鉛直上方に向かって延びる一対の側壁部５２Ｂ，５２Ｂとを有している。これら底壁部５２Ａ及び側壁部５２Ｂは、板状に形成されている。
【００３９】
底壁部５２Ａの上面に沿って、下側主筋２２及びせん断補強筋３０の水平補強筋部３０Ｂが配置されている。また、一対の側壁部５２Ｂ，５２Ｂの内面に沿って、せん断補強筋３０の鉛直補強筋部３０Ａ，３０Ｃが配置されている。
【００４０】
図２に示すように、第二梁６０は、長手方向に向かって延びる複数の梁主筋７０，７０…と、複数の梁主筋７０，７０…を束ねるように長手方向に間隔を有して配置された複数のせん断補強筋８０，８０…と、せん断補強筋８０の内方に配置された複数の第二鋼板９０，９０…と、コンクリートで形成された第二コンクリート部１００とを有している。
【００４１】
図２及び図３に示すように、複数の梁主筋７０，７０…は、鉛直方向及び第二梁６０の奥行方向（図３に示す紙面左右方向）に離間して配置されている。この梁主筋７０は、上側主筋７１と、上側主筋７１の下方に配置された下側主筋７２とで構成されている。
【００４２】
これら上側主筋７１及び下側主筋７２は、部分Ａ２の長手方向一方側の部分Ｂ２に配置されている。また、図２（ｂ）及び図３（ｃ）に示すように、これら上側主筋７１及び下側主筋７２は、第一梁１０の上側主筋２１及び下側主筋２２の長手方向の延長線状に配置されている。
【００４３】
せん断補強筋８０は、全ての上側主筋７１及び全ての下側主筋７２を覆うように環状に配置されている。
【００４４】
第二鋼板９０は、長手方向に延びる鋼板であって、環状に形成されたせん断補強筋８０の内側に配置され、鉛直方向及び第二梁６０の奥行方向に離間して配置されている。
【００４５】
本実施形態では、上側に配置される第二鋼板９０は、第二梁６０の奥行方向に離間して２枚配置されている。また、下側に配置される第二鋼板９０は、第二梁６０の奥行方向に離間して３枚配置されている。つまり、第二鋼板９０が合計５枚配置されており、さらに、これら５枚の第二鋼板９０は平面視で重ならない位置にそれぞれ配置されている。
【００４６】
この第二鋼板９０の両側面には、それぞれ第二梁６０の奥行方向に向かって突出するスタッド９３が設けられている。本実施形態では、スタッド９３は、鉛直方向に離間して２個設けられ、長手方向に離間して複数設けられている。
【００４７】
スタッド９３は、奥行方向に延びる軸部９３Ｘ（図４参照）と、軸部９３Ｘの先端部に設けられ、軸部９３Ｘの径方向外側に向かって突出形成された頭部９３Ａ（図４参照）とを有している。
【００４８】
また、第二鋼板９０は、第二梁６０の部分Ｂ２に配置され後述する第二コンクリート部１００に埋設された埋設板部９６と、埋設板部９６から長手方向の一方側に向かって延びる第二鋼板部９７とを有している。この第二鋼板部９７のスタッド９３が第二スタッドとされている。
【００４９】
この第二鋼板部９７には、下端から鉛直上方に向かって凹むとともに板厚方向に貫通する第二凹部９８（第二係合部）が長手方向に離間して複数形成されている。これら複数の第二凹部９８の間は、鉛直上方に向かって膨らむ第二凸部９９とされている。つまり、第二鋼板部９７には、長手方向に沿って第二凹部９８と第二凸部９９とが交互の連続して複数形成されている。
【００５０】
また、第二鋼板部９７の第二凸部９９の鉛直上方には、鉛直方向に離間してスタッド９３が２個配置されている。
【００５１】
次に、上記のように構成された第一梁１０と第二梁６０との接合構造１について説明する。
図２、図３及び図４に示すように、第二鋼板部９７は、第一鋼板部４７の第二梁６０の奥行方向の他方側に隣接配置されている。
【００５２】
また、第一鋼板部４７におけるスタッド４３は、第二鋼板部９７に形成された第二凹部９８に挿通されている。本実施形態では、第二凹部９８に上側の第一スタッド４３の軸部４３Ｘが当接して係合されている。
【００５３】
同様に、第二鋼板部９７における第二スタッド９３は、第一鋼板部４７に形成された第一凹部４８に挿通されている。本実施形態では、第一凹部４８に下側の第二スタッド９３の軸部９３Ｘが当接して係合されている。
【００５４】
これにより、第二鋼板部９７の鉛直下方への移動及び第一鋼板部４７は鉛直上方への移動が規制されている。また、第一鋼板部４７及び第二鋼板部９７の長手方向への移動が規制されている。
【００５５】
また、第一鋼板部４７は、第二鋼板部９７の側面と第二スタッド９３の頭部９３Ａとによって、第一梁１０の奥行方向に挟まれている。同様に、第二鋼板部９７は、第一鋼板部４７の側面と第一スタッド４３の頭部４３Ａとによって、第一梁１０の奥行方向に挟まれている。これにより、第一鋼板部４７及び第二鋼板部９７は、互いに第一梁１０の奥行方向への移動が規制されている。
【００５６】
第二コンクリート部１００は、プレキャストコンクリート部材であり、第二梁６０の部分Ｂ２に配置されたコンクリート本体１０１を有している。
【００５７】
コンクリート本体１０１は、断面視略矩形状に形成され、下側主筋７２の下方から上側の第二鋼板９０の上方にわたって、コンクリートが充填されて形成されている。
【００５８】
図５に示すように、第一梁１０の部分Ａ１（図２参照）及び第二梁６０の部分Ａ２（図２参照）には、コンクリートが充填された充填コンクリート部１１０（コンクリート部）が形成されている。
【００５９】
この充填コンクリート部１１０は、第一梁１０の第一コンクリート部５０の底壁部５２Ａの上面から側壁部５２Ｂの上端まで充填されたコンクリートであり、第一梁１０の第一鋼板部４７及び第二梁６０の第二鋼板部９７を覆うように形成されている。本実施形態では、充填コンクリート部１１０内には、第一梁１０，第二梁６０の下側主筋２２，７２、第一梁１０の水平補強筋部３０Ｂ及び鉛直補強筋部３０Ａ，３０Ｃの下部、第一鋼板部４７及び第二鋼板部９７が配置されている。
【００６０】
上記に示す第一鋼板部４７、第二鋼板部９７及び充填コンクリート部１１０が、第一梁１０と第二梁６０との接合構造１を構成している。
【００６１】
次に、上記のように構成された第一梁１０と第二梁６０との接合方法について説明する。
【００６２】
まず、第一梁１０を設置する工程を実行する。
つまり、柱３に、第一梁１０の部分Ｂ１側の端部を構築する。
【００６３】
次に、第二梁６０を設置する工程を実行する。
つまり、図３（ａ）及び（ｂ）に示すように、第一梁１０の鉛直上方から下方に向かって第二梁６０を移動させる。第二梁６０の第二鋼板９０を、第一梁１０の上側主筋２１Ａ，２１Ａの間を鉛直方向に通過させる。
【００６４】
この際、第二鋼板部９７の第二スタッド９３を第一鋼板部４７の第一凹部４８に挿通させるとともに、第一鋼板部４７の第一スタッド４３を第二鋼板部９７の第二凹部９８に挿通させる。
【００６５】
図３（ｃ）に示すように、第一スタッド４３の軸部４３Ｘが第二凹部９８に当接するとともに、第二スタッド９３の軸部９３Ｘが第一凹部４８に当接した状態で、第二梁６０の鉛直下方への移動が規制さる。
【００６６】
次に、コンクリートを打設充填する工程を実行する。
つまり、図５に示すように、第一梁１０の第一コンクリート部５０の底壁部５２Ａと一対の側壁部５２Ｂ，５２Ｂとで囲まれた部分に、コンクリートを打設充填する。これにより、第一鋼板部４７と第二鋼板部９７とが充填コンクリート部１１０を介して接合される。
【００６７】
上記のように構成された梁同士の接合構造１では、建築現場において、第一スタッド４３は第二鋼板部９７に形成された第二凹部９８に挿通され、第二スタッド９３は第一鋼板部４７に形成された第一凹部４８に挿通された状態とされる。また、第一鋼板部４７と第二鋼板部９７とは、充填コンクリート部１１０を介して接合される。よって、第一鋼板部４７及び第二鋼板部９７は、一体として連結され、互いに第一梁１０の長手方向及び第一梁１０の奥行方向に移動することがなく、第一梁１０及び第二梁６０に生じる曲げモーメントによる材軸方向力及びせん断力の複合応力を効果的に伝達することができる。したがって、工期を短縮しつつ、適切に接合することができる。
【００６８】
また、第一スタッド４３を第二凹部９８に挿通させるとともに、第二スタッド９３を第一凹部４８に挿通させるようにして、第一梁１０と第二梁６０とを設置して、コンクリートを打設すれば、第一梁１０と第二梁６０とが接合される。よって、工期を短縮しつつ、第一梁１０と第二梁６０とを接合することができる。
【００６９】
なお、上述した実施の形態において示した組立手順、あるいは各構成部材の諸形状や組み合わせ等は一例であって、本発明の主旨から逸脱しない範囲において設計要求等に基づき種々変更可能である。
【００７０】
例えば、上記に示す実施形態では、第一梁１０の第一鋼板部４７には上端から鉛直下方に向かって第一係合部として第一凹部４８が形成されているが、本発明はこれに限られない。例えば、第一係合部は、第一鋼板部４７の鉛直方向の途中部分に形成された貫通孔であってもよい。この場合には、第二鋼板部９７の第二スタッド９３を第一係合部に対して斜め上方から挿通させた後に、第二スタッドと第一係合部とが係合可能な構成であってもよい。また、第一係合部が、第二スタッド９３の頭部９３Ａを挿通可能な幅とされた孔部（挿通孔部）と、この孔部に連通して頭部９３Ａよりも小さく軸部と略同幅とされた孔部（小孔部）とで構成されていてもよい。この場合には、挿通孔部に第二スタッド９３の頭部９３Ａを挿通して、その後第二スタッド９３を小孔部に移動させることで、第二スタッドと第一係合部とが係合可能とされる。
【符号の説明】
【００７１】
１…接合構造
３…柱
１０…第一梁
４３…第一スタッド
４７…第一鋼板部
４８…第一凹部（第一係合部）
４９…第一凸部
５０…第一コンクリート部
６０…第二梁
９３…第二スタッド
９７…第二鋼板部
９８…第二凹部（第二係合部）
９９…第二凸部
１００…第二コンクリート部
１１０…充填コンクリート部（コンクリート部）
【図１】
2014227682.tif 000003
【図２】
2014227682.tif 000004
【図３】
2014227682.tif 000005
【図４】
2014227682.tif 000006
【図５】
2014227682.tif 000007